(57)【要約】【課題】記録媒体を備えた開口容器において、開口を開封して使用するまでの間は、記録媒体を開口容器の物流管理等に貢献できる状態とすると共に、使用時には、記録媒体を遠隔からの第三者による不正な読み出しや混信を防止できる状態での外部装置への装着を実現する。【解決手段】開口を有する開口容器本体10に、所定の情報を記録するICチップ32、およびその情報を送受信するための、ICチップ32に接続して延びた第1のアンテナ部分33が設けられている第1のシール部分30と、第1のアンテナ部分33に接続して延びた第２のアンテナ部分43が設けられている第２のシール部分40と、第２のシール部分40を剥ぎ取って第1のシール部分30と第２のシール部分40とを分離するための切断容易部とを有するシール20を貼付するとともに、第２のシール部分40の少なくとも一部により開口容器本体10の開口を封止する。【選択図】図４
2010125731.tif 000002
【特許請求の範囲】
【請求項１】
開口を有する開口容器本体と、
所定の情報を記録する記録媒体、および前記情報を送受信するための、前記記録媒体に接続して延びた第1のアンテナ部分が設けられている第1のシール部分と、前記第1のアンテナ部分に接続して延びた第２のアンテナ部分が設けられている第２のシール部分と、前記第２のシール部分を剥ぎ取って前記第1のシール部分と前記第２のシール部分とを分離するための切断容易部とを有し、前記開口容器本体に貼付されるとともに、前記第２のシール部分の少なくとも一部が前記開口容器本体の開口を封止するシールと
を備えたことを特徴とする開口容器。
【請求項２】
蓋体と、該蓋体により封止される開口とを有する開口容器本体と、
所定の情報を記録する記録媒体、および前記情報を送受信するための、前記記録媒体に接続して延びた第1のアンテナ部分が設けられている第1のシール部分と、前記第1のアンテナ部分に接続して延びた第２のアンテナ部分が設けられている第２のシール部分と、前記第２のシール部分を剥ぎ取って前記第1のシール部分と前記第２のシール部分とを分離するための切断容易部とを有し、前記開口容器本体に貼付されるとともに、前記第２のシール部分の少なくとも一部が前記開口容器本体の開口を封止した蓋体に貼付されるシールと
を備えたことを特徴とする開口容器。
【請求項３】
前記切断容易部が、前記第1のシール部分と前記第２のシール部分の境界に沿ってミシン目状スリットを設けることにより形成されていることを特徴とする請求項１または２記載の開口容器。
【請求項４】
前記切断容易部が、前記第1のシール部分と前記第２のシール部分の境界に沿って前記第1のシール部分より厚さが薄い薄肉部を設けることにより形成されていることを特徴とする請求項１または２記載の開口容器。
【請求項５】
前記切断容易部が、前記第1のシール部分と前記第２のシール部分の境界部の幅を前記第1のシール部分の幅より狭くすることにより形成されていることを特徴とする請求項１または２記載の開口容器。
【請求項６】
前記切断容易部が、前記第２のシール部分の前記開口容器本体への貼付に用いられる接着剤の接着力を前記第1のシール部分の前記開口容器本体への貼付に用いられる接着剤の接着力より弱くすることにより形成されていることを特徴とする請求項１または２記載の開口容器。
【請求項７】
所定の情報を記録する記録媒体、および前記情報を送受信するための、前記記録媒体に接続して延びた第1のアンテナ部分が設けられている第1のシール部分と、
前記第1のアンテナ部分に接続して延びた第２のアンテナ部分が設けられている第２のシール部分と、
前記第２のシール部分を剥ぎ取って前記第1のシール部分と前記第２のシール部分とを分離するための切断容易部と
を備えたことを特徴とするシール。
【請求項８】
前記シールが開口を有する開口容器に貼付され、前記第２のシール部分の少なくとも一部が前記開口容器の開口を封止するものであることを特徴とする請求項７記載のシール。
【請求項９】
前記シールが蓋体により封止される開口を有する開口容器に貼付され、前記第２のシール部分の少なくとも一部が前記開口容器の開口を封止した蓋体に貼付されるものであることを特徴とする請求項７記載のシール。
【発明の詳細な説明】
【技術分野】
【０００１】
本発明は、RFIDタグ等の記録媒体が設けられた開口容器に関するものである。
【背景技術】
【０００２】
近年、孔版印刷機などに使用されるインク容器にインクの消耗量や使用日時などを記憶するRFID（Radio Frequency Identification）タグを設けることが行われている。このようにRFIDタグに記憶された情報を無線通信により読み出すことにより、孔版印刷機などの使用状況を情報として得、これを利用することができる。
【０００３】
RFIDタグは、無線通信ができる反面、簡単に盗聴、改ざん、コピーされてしまう虞があり、プライバシー保護の観点からも第三者による不正な、RFIDタグからの情報の読み出しなどを防止する必要がある。
【０００４】
特許文献１には、インク容器を廃棄する場合、またはリサイクルする場合に、第三者による不正な記録媒体からの情報の読み出しを防止するため、孔版印刷機に使用されるインク容器の上端面にリブを形成し、該リブに記録媒体を接着することにより、使用後のインク容器から記録媒体を容易に取り外すことができるインク容器が提案されている。
【０００５】
特許文献２には、電磁波遮蔽部材でRFIDタグの全体を覆うことにより、RFIDタグからの情報の読み出しを防止すると共に、この電磁遮蔽部材からRFIDタグを露出させることにより、RFIDタグからの情報の読み出し可能とする機構が提案されている。
【特許文献１】特開２００４−２６２２３５
【特許文献２】特開２００５−８６２４４
【発明の開示】
【発明が解決しようとする課題】
【０００６】
しかし、特許文献２に提案されている技術では、電磁遮蔽部材でRFIDタグの全体を覆うことにより、第三者による不正な読み出しを防止することは可能であるが、RFIDタグから情報を読み取りたい度に、使用者がRFIDタグを電磁遮蔽部材から確実に露出させるよう注意する必要であり、失念した場合には、RFIDタグは無線通信が不可能な状態で使用に供される虞がある。
【０００７】
ところで、RFIDタグには書き換え不可能なユニークな番号が格納されているので、上記インク容器に設けられているRFIDタグを用いれば、インク容器を生産して孔版印刷機などに装着するまでの間、インク容器の物流管理等を容易に行うことができる。この場合、RFIDタグの通信距離を長くするほど、そのRFIDタグによる物流管理等の効率を向上させることができる。
【０００８】
一方、インク容器を孔版印刷機などに装着してからは、遠隔からの第三者による不正な、RFIDタグへの情報の読み書きを防止し、かつ、周囲の他のRFIDタグとの混信を防止するため、RFIDタグの通信距離は必要最低限の短い長さであることが好ましい。
【０００９】
本発明は、上記事情に鑑み、開口容器を開口して使用するまでの間は、記録媒体を開口容器の物流管理等に貢献できる状態とすると共に、使用時には、記録媒体を遠隔からの第三者による不正な読み出しや混信を防止できる状態として外部装置に装着できる開口容器を提供することを目的とするものである。
【課題を解決するための手段】
【００１０】
本発明による第１の開口容器は、開口を有する開口容器本体と、所定の情報を記録する記録媒体、およびその情報を送受信するための、記録媒体に接続して延びた第1のアンテナ部分が設けられている第1のシール部分と、第1のアンテナ部分に接続して延びた第２のアンテナ部分が設けられている第２のシール部分と、第２のシール部分を剥ぎ取って第1のシール部分と第２のシール部分とを分離するための切断容易部とを有し、開口容器本体に貼付されるとともに、第２のシール部分の少なくとも一部が開口容器本体の開口を封止するシールとを備えたことを特徴とするものである。
【００１１】
本発明による第２の開口容器は、蓋体と、該蓋体により封止される開口とを有する開口容器本体と、所定の情報を記録する記録媒体、およびその情報を送受信するための、記録媒体に接続して延びた第1のアンテナ部分が設けられている第1のシール部分と、第1のアンテナ部分に接続して延びた第２のアンテナ部分が設けられている第２のシール部分と、第２のシール部分を剥ぎ取って第1のシール部分と第２のシール部分とを分離するための切断容易部とを有し、開口容器本体に貼付されるとともに、第２のシール部分の少なくとも一部が開口容器本体の開口を封止した蓋体に貼付されるシールとを備えたことを特徴とするものである。
【００１２】
ここで、「蓋体に貼付」とは、必ずしも蓋体の全体に貼付する必要はなく、蓋体の一部に貼付することも含むものである。
【００１３】
上記各開口容器において、切断容易部は、第1のシール部分と第２のシール部分の境界に沿ってミシン目状スリットまたは第1のシール部分より厚さが薄い薄肉部を設けることにより形成されているものであってもよい。
【００１４】
また、切断容易部は、第1のシール部分と第２のシール部分の境界部の幅を第1のシール部分の幅より狭くすることにより形成されているものであってもよい。
【００１５】
また、切断容易部は、第２のシール部分の開口容器本体への貼付に用いられる接着剤の接着力を第1のシール部分の開口容器本体への貼付に用いられる接着剤の接着力より弱くすることにより形成されているものであってもよい。
【００１６】
本発明によるシールは、所定の情報を記録する記録媒体、およびその情報を送受信するための、記録媒体に接続して延びた第1のアンテナ部分が設けられている第1のシール部分と、第1のアンテナ部分に接続して延びた第２のアンテナ部分が設けられている第２のシール部分と、第２のシール部分を剥ぎ取って第1のシール部分と第２のシール部分とを分離するための切断容易部とを備えたことを特徴とするものである。
【００１７】
上記シールは、開口を有する開口容器に貼付され、その第２のシール部分の少なくとも一部が開口容器の開口を封止するものであってもよい。
【００１８】
また、上記シールは、蓋体により封止される開口を有する開口容器に貼付され、その第２のシール部分の少なくとも一部が開口容器の開口を封止した蓋体に貼付されるものであってもよい。
【発明の効果】
【００１９】
本発明の第１および第２の開口容器によれば、使用者が開口容器を開口して使用するためには、第２のシール部分を剥ぎ取る行為が必要となり、この行為により、第２のシール部分が切断容易部において第1のシール部分と分離され、剥離される。これにより、開口容器を開口して使用するまでの間は、記録媒体に接続して延びた第１および第２のアンテナ部分により長い通信距離が確保でき、物流管理等を効率よく行うことができる。また、使用時には、開口容器を開口して使用可能にさせる行為により、第２のアンテナ部分が設けられている第２のシール部分が剥ぎ取られ、記録媒体に接続して延びたアンテナの長さが短くなり、それに応じて通信距離も短くなるため、第三者による不正な読み出しや混信を防止できる状態として使用することができる。
【００２０】
本発明のシールによれば、遠隔からの記録媒体への情報の読み書きを制限する必要があるときに、第２のシール部分を剥ぎ取るという簡単な行為により、記録媒体に接続して延びたアンテナの長さを短くして、通信距離を短縮させることを実現できる。
【発明を実施するための最良の形態】
【００２１】
以下、図面を参照して本発明の開口容器の第１の実施形態について説明する。本実施形態では、孔版印刷装置に使用される、インクを供給する容器を開口容器の一例として説明する。図１乃至図３は、開口容器１の第１の実施形態の斜視図であり、図２および図３では、理解を容易にするため、開口容器の拡大要部を示している。
【００２２】
開口容器１は、円筒状の樹脂からなる開口容器本体10、及びこの開口容器本体10に貼付されるシール20を備えている。開口容器本体10の上端面10a側には、開口容器本体10内に充填されたインクが吐出される開口部11が設けられており、この開口部11はシール20の一部により封止される。
【００２３】
シール20は、連結部Ｂにおいて互いに連結された、第1のシール部分30と、第２のシール部分40とで構成されている。
【００２４】
第１のシール部分30は、図４に示すように、PET、紙等の材料からなる基材31の上に、メモリが内蔵されているICチップ32（記録媒体）と、そのICチップ32に繋がっているコイル状の第1のアンテナ部分33とが設けられてなり、第２のシール部分40は、PET、紙等の材料からなる基材41の上に、第1のアンテナ部分33に接続して延びた、第２のアンテナ部分43が設けられてなる。
【００２５】
第１のシール部分30および第２のシール部分40は、接着剤により開口容器本体10に貼付される。ここで、第２のシール部分40の開口容器本体10への貼付に用いる接着剤として、第1のシール部分30の開口容器本体10への貼付に用いる接着剤より接着力が弱いものを用いることにより、第２のシール部分40が開口容器本体10から容易に剥離され得るようにする。
【００２６】
連結部Ｂには、図４の部分拡大図に示すように、第1のシール部分30と第２のシール部分40の境界に沿ってミシン目状のスリットが設けられているとともに、その幅ｄが第1のシール部分30の幅Ｄより狭くなっており、シールの他の部分より切断されやすい切断容易部を形成する。これにより、第２のシール部分40を剥ぎ取る際には、その連結部Ｂにおいて、第２のシール部分40を第１のシール部分30から容易に切り離すことができる。
【００２７】
第1のアンテナ部分33および第２のアンテナ部分43は、導体（たとえば、銅等の金属導体）をエッチングやメッキ等することにより形成される。また、これらのアンテナに、リーダーライターから特殊な電磁波や電波を当てると電気が生じ、この電気を使ってICチップ32が駆動し、リーダーライターから送られてくるデータを受信したり、メモリに格納されている情報を無線で送信したりする。
【００２８】
第２のシール部分40には、開口部11を覆うように開口容器本体10に貼付され、その開口を封止する延長部46と、開口容器本体10の外側へ突出する摘片45とが形成されている。使用時には、摘片45を図２に矢印Ｘで示す方向に引っ張ることにより、第２のシール部分40が連結部Ｂにおいて第１のシール部分30から切り離され、開口容器本体10から剥離される。それにより、開口容器本体10の開口が露出し、開口容器１は外部装置に装着可能な状態となる。
【００２９】
第２のシール部分40が第１のシール部分30から切り離されると、その第２のシール部分40に設けられている第２のアンテナ部分43も第１のアンテナ部分33から切り離され、ICチップ32に接続して延びたアンテナの長さが短くなり、それに応じて通信距離も短くなる。本実施の形態では、ICチップ32と、そのICチップ32に繋がっているアンテナにより、UHF（Ultra High Frequency)帯域の周波数を使用したRFIDタグを構成し、ICチップ32に第1のアンテナ部分33および第２のアンテナ部分43の両方が繋がっているときには、通信距離が数ｍとなるようにし、第２のアンテナ部分43が切り離され、ICチップ32に第1のアンテナ部分33のみが繋がっているときには、通信距離が数cmとなるようにする。
【００３０】
なお、RFIDタグは、UHF帯域の周波数を使用したRFIDタグに限らず、HF（High Frequency)帯域の周波数を使用したRFIDタグであってもよい。その場合、ICチップに第1のアンテナ部分および第２のアンテナ部分の両方が繋がっているときには、通信距離が数十cmとなり、第２のアンテナ部分が切り離され、ICチップに第1のアンテナ部分のみが繋がっているときには、通信距離が数cmとなる。
【００３１】
また、シール20の形状は、たとえば図５及び図６にさらに例示するように、遠隔からのICチップ32への情報の読み書きを制限する必要があるときに、第２のシール部分40を剥ぎ取ることにより、切断容易部を形成する連結部Ｂにおいて第２のシール部分40を第1のシール部分30から分離してICチップ32に接続して延びたアンテナの長さを短くでき、通信距離を短縮することを実現できるものであればよく、特定の形状に限定されるものではない。
【００３２】
図７及び図８は、開口容器１の第２の実施形態を示すものである。ここで、第１の実施形態と同一の部位には、同一番号を付し、説明は省略する。第２の実施形態では、開口容器本体10は、その開口を封止する蓋体12を備え、第２のシール部分40の延長部46が蓋体12に貼付される点においてのみ第１の実施形態と相違する。
【００３３】
第２の実施形態においては、使用時に、使用者が第２のシール部分40を開口容器本体10から剥離した後、蓋体12を開封することにより、開口容器１が外部装置に装着可能な状態となる。
【００３４】
上述した本発明の各実施形態によれば、使用者が開口容器１を開口して使用するためには、第２のシール部分40を剥ぎ取る行為が必要となり、この行為により、第２のシール部分40が連続部Ｂ（切断容易部）において第1のシール部分30と分離され、剥離される。これにより、開口容器１を開口して使用するまでの間は、ICチップ32に接続して延びた第１および第２のアンテナ部分33，43により長い通信距離が確保でき、物流管理等を効率よく行うことができる。また、使用時には、開口容器１を開口して使用可能にさせる行為により、第２のアンテナ部分43が設けられている第２のシール部分40が剥ぎ取られ、ICチップ32に接続して延びたアンテナの長さが短くなり、それに応じて通信距離も短くなるため、第三者による不正な読み出しや混信を防止できる状態として使用することができる。
【００３５】
なお、上記各実施の形態では、本発明の開口容器を、印刷機に使用される、インクを供給する容器に適用した場合について説明したが、それに限らず、各種消耗品の供給に使用される開口容器に広く適用することができる。
【００３６】
また、上記各実施の形態では、連結部Ｂに第1のシール部分30と第２のシール部分40の境界に沿ってミシン目状のスリットを設けるとともに、その連結部Ｂの幅ｄを第1のシール部分30の幅Ｄより狭くすることにより切断容易部を形成する場合について説明したが、例えば、連結部Ｂに第1のシール部分30より厚さが薄い薄肉部を設けることや、第２のシール部分40の開口容器本体10への貼付に用いられる接着剤の接着力を第1のシール部分30の開口容器本体10への貼付に用いられる接着剤の接着力より弱くすることにより切断容易部を形成することもできる。ここで例示している方法に限らず、第２のシール部分40を剥ぎ取って第1のシール部分30を前記第２のシール部分40から容易に切り離せるようにする各種方法から適宜選択した１以上の方法により切断容易部を形成すればよい。
【図面の簡単な説明】
【００３７】
【図１】本発明の開口容器の第１の実施形態の斜視図
【図２】第２のシール部分の一部を剥離した状態を示す図
【図３】第２のシール部分を剥離した状態を示す図
【図４】開口容器本体に固定されたシールの概略構成図
【図５】シールの形状のバリエーション例を示す図
【図６】シールの形状のバリエーション例を示す図
【図７】本発明の開口容器の第２の実施形態の斜視図
【図８】第２のシール部分を剥離した状態を示す図
【符号の説明】
【００３８】
１   開口容器
10   開口容器本体
10a  上端面
11   開口部
12   蓋体
20   シール
30   1のシール部分
32   ＩＣチップ
33   第1のアンテナ部分
40   第２のシール部分
43   第２のアンテナ部分
45   延長部
46   摘片
Ｂ   連結部（切断容易部）
【図１】
2010125731.tif 000003
【図２】
2010125731.tif 000004
【図３】
2010125731.tif 000005
【図４】
2010125731.tif 000006
【図５】
2010125731.tif 000007
【図６】
2010125731.tif 000008
【図７】
2010125731.tif 000009
【図８】
2010125731.tif 000010